(57)【要約】【課題】相手が作成したメールを、受信したユーザ自身が保存しておきたい状態にデコレーションを施した状態で印刷用紙に出力することができるシステムを提供する。【解決手段】本発明に係るメールデコレーション印刷システム１０は、メールを送受信するメール機能を備えた携帯端末１１と、携帯端末１１と通信を行うメールデコレーション編集機器１２とを備え、メールデコレーション編集機器１２は、携帯端末１１から送信された送受信メールを編集して加工メールを作成するメール編集部１３と、メール編集部１３によって作成された加工メールを印刷用紙１５に印刷するメール印刷部１４と、を備えた【選択図】図１
2009199123.tif 000002
【特許請求の範囲】
【請求項１】
メールを送受信するメール機能を備えた携帯端末と、前記携帯端末と通信を行うメールデコレーション編集機器とを備え、
前記メールデコレーション編集機器は、
前記携帯端末から送信された送受信メールを編集して加工メールを作成するメール編集部と、
前記メール編集部によって作成された前記加工メールを印刷用紙に印刷するメール印刷部と、を備えた
メールデコレーション印刷システム。
【請求項２】
前記メールデコレーション編集機器は、
編集中の前記送受信メール及び前記加工メールを表示する表示部を更に備えた
請求項１記載のメールデコレーション印刷システム。
【請求項３】
前記メール編集部は、ユーザによって選択された装飾を施すことにより前記送受信メールを編集して加工メールを作成する
請求項１又は２に記載のメールデコレーション印刷システム。
【請求項４】
前記メールデコレーション編集機器は、無線通信によって前記携帯端末から送信される前記送受信メールを受信する
請求項１乃至３のうちいずれか１項に記載のメールデコレーション印刷システム。
【請求項５】
前記メール編集部は、前記送受信メール中の文字の大きさ、色及びフレーム、並びに前記印刷用紙の種類及びサイズの選択うち少なくとも１つを行う
請求項１乃至４のうちいずれか１項に記載のメールデコレーション印刷システム。
【請求項６】
前記メールデコレーション編集機器は、前記送受メール及び前記加工メールに連続した異なる状態の文字及び／又は画像によって構成される動きのある文字及び／又は画像が含まれる場合には、外部から選択された任意の状態の文字及び／又は画像を印刷用紙に印刷する
請求項１乃至５のうちいずれか１項に記載のメールデコレーション印刷システム。
【請求項７】
携帯端末から送信された送受信メールを編集して加工メールを生成するメール編集部と、
前記メール編集部によって作成された前記加工メールを印刷用紙に印刷するメール印刷部と、を備えた
メールデコレーション編集機器。
【請求項８】
前記メール編集部は、前記送受信メール中の文字の大きさ、色及びフレームの編集、並びに前記印刷用紙の種類及びサイズの選択のうち少なくとも１つを行う
請求項７に記載のメールデコレーション編集機器。
【請求項９】
前記メールデコレーション編集機器は、無線通信により前記携帯端末と通信を行う
請求項７又は８に記載のメールデコレーション編集機器。
【請求項１０】
請求項７乃至９のうちいずれか１項に記載のメールデコレーション編集機器と通信を行う携帯端末。
【請求項１１】
携帯端末から送信された送受信メールを編集して加工メールを生成し、
前記加工メールを印刷用紙に印刷する
メールデコレーション印刷方法。
【請求項１２】
前記送受信メール中の文字の大きさ、色及びフレーム、並びに前記印刷用紙の種類及びサイズの選択のうち少なくとも１つを行う
請求項１１に記載のメールデコレーション印刷方法。
【請求項１３】
前記送受メール及び前記加工メールに、連続した異なる状態の文字及び／又は画像によって構成される動きのある文字及び／又は画像が含まれる場合には、外部から選択された任意の状態の文字及び／又は画像を印刷用紙に印刷する
請求項１１又は１２に記載のメールデコレーション印刷方法。
【発明の詳細な説明】
【技術分野】
【０００１】
本発明は、メールの送受信機能を有する携帯端末と通信を行い、携帯端末に記憶された送受信メールの印刷を行うシステムに関する。
【背景技術】
【０００２】
携帯端末のユーザ同士は、メールを送受信することによりコミュニケーションを図る機会が多くある。携帯端末間で送受信されるメールの中には、記念日に送受信されたメールなど、ユーザにとっていつまでも残しておきたいメールも含まれている。特許文献１〜３には、このようなメールの保存方法や携帯端末への表示方法が開示されている。
【０００３】
特許文献１には、送信元の端末においてメール作成画面中に表示させると共に送信先の端末で出力される画像・音声等のデータをユーザによって選択させ、選択された画像・音声等をユーザの端末に送信するデータ送信装置が開示されている。選択された画像・音声は、端末で表示されるメールの背景等としてメールの内容と共に表示される。
【０００４】
特許文献２には、携帯電話において送受されたメールを、ネットワークを介してプリンタに印刷するように指示することができる携帯電話が開示されている。
【０００５】
特許文献３には、メールの内容とメールを装飾するデコレーションデータとを対応付けて記憶し、メールの内容に応じてデコレーションデータをメールの表示時に再生する通信端末装置が開示されている。
【特許文献１】特開２００１−０５１９１９号公報
【特許文献２】特開２００４−２２０６０６号公報
【特許文献３】特開２００７−１６４４６９号公報
【発明の開示】
【発明が解決しようとする課題】
【０００６】
このような記念日等に送受信されたユーザにとって大切なメールは、グリーティングカードなどように装飾を施した綺麗な形で紙などに残しておきたいというニーズがある。
【０００７】
しかしながら、特許文献１乃至３に開示された装置やシステムでは、相手が作成したメールを、受信したユーザ自身が保存しておきたい状態にデコレーションを施した状態で印刷用紙に印刷することができない。
本発明は、このような問題点に鑑みてなされたものであり、相手が作成したメールを、メールを受信したユーザ自身が保存しておきたい状態でデコレーションを施し、印刷することができるシステムを提供することを目的とする。
【課題を解決するための手段】
【０００８】
本発明に係るメールデコレーション印刷システムの一態様は、メールを送受信するメール機能を備えた携帯端末と、前記携帯端末と通信を行うメールデコレーション編集機器とを備え、前記メールデコレーション編集機器は、前記携帯端末から送信された前記送受信メールを編集して加工メールを作成するメール編集部と、前記メール編集部によって作成された前記加工メールを印刷用紙に印刷するメール印刷部と、を備えている。
【０００９】
本発明に係るメールデコレーション編集機器の一態様は、携帯端末から送信された送受信メールを編集して加工メールを生成するメール編集部と、前記メール編集部によって作成された前記加工メールを印刷用紙に印刷するメール印刷部と、を備えている。
【００１０】
本発明に係る携帯端末の一態様は、上記に記載のメールデコレーション編集機器と通信を行うものである。
【００１１】
本発明に係るメールデコレーション印刷システムの一態様は、前記携帯端末から送信された送受信メールを編集して加工メールを生成し、前記加工メールを印刷用紙に印刷するものである。
【発明の効果】
【００１２】
本発明によれば、携帯端末において保存されている送受信メールを、受信したユーザ自身が保存しておきたい状態にデコレーションを施し、印刷することができる。
【発明を実施するための最良の形態】
【００１３】
以下、添付した図面を参照して本発明の実施の形態に係るメール印刷システムについて説明する。
【００１４】
図１は、本発明の実施の形態に係るメールデコレーション印刷システムの全体構成例を示すブロック図である。メールデコレーション印刷システム１０は、携帯端末１１とメールデコレーション編集機器１２を備えている。携帯端末１１は、携帯電話やＰＤＡ（Personal Data Assistance）などの移動通信端末である。携帯端末１１は、メール機能を備え、他の携帯端末やパソコン等と通信することによりメールの送受信を行うことができる。携帯端末１１は、メールデコレーション編集機器１２と通信を行うことができる。なお、携帯端末１１とメールデコレーション編集機器１２との通信手段は、直接有線によって接続されていてもよく、また、赤外線通信などの無線通信を用いるように構成してもよい。
【００１５】
メールデコレーション編集機器１２は、メール編集部１３とメール印刷部１４を備えている。メール編集部１３は、携帯端末１１から送信された送受信メールを編集し、加工メールを作成する。例えば、送受信メールの文字のサイズや色、書体や、背景や挿絵などを合成して加工メールを作成する。なお、送受信されたメールの編集方法は、ユーザがメールデコレーション編集機器１２に備えられたインターフェースを操作する等により実行される。
【００１６】
ここで、メール編集部１３によって編集される送受信メールのデータは、メールの本文のみならず、宛先人、差出人や送受信された日時などを示す文字についても任意に編集することができる。文字の色や背景等の編集方法は、ユーザがすべて選択するように構成することもでき、また、予め設定された定型の編集方法をユーザによって選択するように構成することもできる。また、ユーザは、任意の印刷用紙１５をメールデコレーション編集機器にセットし、メールデコレーション編集機器１２によって印刷する印刷用紙の種類や大きさを選択することで、任意の種類やサイズの印刷用紙１５に加工メールを印刷することができる。また、印刷用紙は、紙に限定されず、布やプラスチックなどであってもよい。
【００１７】
メールデコレーション編集機器１２は、図示しない表示部を備えるように構成してもよい。この表示部に、ユーザが編集中の送受信メールや完成した加工メールを表示させることにより、ユーザは、編集中の送受信メールを確認しながら編集作業を行うことができる。また、携帯端末１１と通信を行うように構成し、携帯端末１１に設けられたディスプレイを表示部として利用するように構成してよい。また、メールデコレーション編集機器１２にメモリを設け、編集中の送受信メールや編集済みの加工メールを保存できるように構成してもよい。これにより、ユーザは、任意の時に送受信メールの編集や加工メールの印刷を行うことができる。
【００１８】
メール編集部１３によって作成されたメールは、メール印刷部１４に入力される。メール印刷部１４は、メール編集部１３によって編集された加工メールを印刷用紙１５に出力する。これにより、ユーザは、メール印刷部１４によって印刷された加工メールを印刷用紙に印刷された状態で受け取ることができる。なお、携帯端末において送受信された編集前の送受信メールや、メールデコレーション編集機器１２によって編集された後の加工メール中に、動きのある文字や画像が含まれる場合には、それぞれの動きの場面や状態を選択して印刷用紙に出力するように構成することもできる。また、その連続した動きの状態を一つの印刷用紙に合成して出力するように構成することもできる。これにより、動きのある文字や画像であっても、ユーザが任意に選択した状態で印刷することができる。
【００１９】
図２は、本発明の実施の形態に係るメールデコレーション印刷システムのフローチャートである。
【００２０】
はじめに、携帯端末１１のユーザは、携帯端末１１に記憶された送受信メールの中から印刷したい送受信メールを選択する（Ｓ１）。ユーザによって印刷する送受信メールが選択されると、携帯端末１１は、メールデコレーション編集機器１２に対して、選択された送受信メールを送信する（Ｓ２）。
【００２１】
メールデコレーション編集機器１２は、携帯端末１１から編集する送受信メールをデータとして受信する（Ｓ３）。メール編集部１３は、携帯端末１１から受信された送受信メール内の文字のサイズ、色、並びに書体を編集したり、また、背景や挿絵などをメール本文に合成することによって送受信メールを編集し、加工メールを作成する（Ｓ４）。そして、出力する印刷用紙のサイズや種類を選択する（Ｓ５）。メール印刷部１４は、メール編集部１３において作成された加工メールを、ステップＳ５において選択された印刷用紙に出力する（Ｓ６）。メールデコレーション編集機器１２から出力された印刷用紙は、ユーザによって受け取られる（Ｓ７）。
【００２２】
このように、本実施形態に係るメールデコレーション印刷システムによれば、携帯端末１１でしか確認できなかった送受信メールを、デコレーションを施した状態で印刷用紙１５に出力することによって、記念日等に送受信されたメールを、紙として手元に残すことができる。例えば、携帯端末が壊れてしまって内部の送受信メールのデータが消えてしまった場合にあっても、印刷用紙にメールの内容を印刷されているため、いつまでもユーザの手元に残すことができる。
【００２３】
また、携帯端末１１において受信された元のメールが、デコレーションなどが施されていない本文だけのメールであっても、メールを受信した受取人が、任意のデコレーションを施すことにより、受取人の保存したい状態で印刷用紙に加工メールを印刷することができる。
【００２４】
また、メール印刷部１４を備えたメールデコレーション編集機器１２側で加工メールを作成したり、印刷用紙の選択をすることにより、メール印刷部１４の仕様に適した状態で、印刷の指示を与えることができる。
【００２５】
尚、本発明は、上記した実施の形態に限定されるものではなく、本発明の要旨を逸脱しない範囲内において種々変更を加え得ることは勿論である。
【図面の簡単な説明】
【００２６】
【図１】本発明のメールデコレーション印刷システムの全体構成例を示すブロック図である。
【図２】本発明のメールデコレーション印刷システムのフローチャートである。
【符号の説明】
【００２７】
１０    メールデコレーション印刷システム
１１    携帯端末
１２    メールデコレーション編集機器
１３    メール編集部
１４    メール印刷部
１５    印刷用紙
【図１】
2009199123.tif 000003
【図２】
2009199123.tif 000004